(57)【要約】【課題】ポールとフレームによって囲まれた共有空間の上方が開放された状態を維持しつつ、フレームやポールが水平方向にぐらつかないようにできる共有空間構造体を提供すること。【解決手段】平面視方形となるように少なくとも４本のポール２と４本のフレーム３により最小単位の共有空間構造体１が構成され、前記フレーム３の支持ブラケット１７と前記ポール２とによって形成される前記平面視方形の内角空間３１は、前記両フレーム３の支持ブラケット１７に固着し、前記ポール２に当接する当接面３２ａを備えた閉塞部材４６により閉塞する。【選択図】図８
2008111234.tif 000002
【特許請求の範囲】
【請求項１】
共有空間構造体の外郭を画定する所定位置から立設したポールと、隣り合う前記ポールの上端にそれぞれ連結することで、ほぼ水平状態に支持されるフレームとの組み合わせからなる共有空間構造体であって、
平面視方形となるように少なくとも４本のポールと４本のフレームにより最小単位の共有空間構造体が構成され、前記フレームの端部近傍と前記ポールとによって形成される前記平面視方形の内角空間は、前記両フレームの端部近傍に固着し、前記ポールに当接する当接面を備えた閉塞部材により閉塞したことを特徴とする共有空間構造体。
【請求項２】
前記閉塞部材には、前記両フレームの端部近傍に当接される当接面が設けられ、該当接面と前記ポールに当接する当接面とで形成される形状が、前記フレームの端部近傍と前記ポールとで形成される内角の形状とほぼ補形をなしていることを特徴とする請求項１に記載の共有空間構造体。
【請求項３】
前記フレームの端部近傍が支持ブラケットで構成されるとともに、前記ポールの外周面に、上下方向に延びる複数の溝条が形成され、該溝条に前記支持ブラケットを係合することで前記フレームを前記ポールに取り付け、前記閉塞部材を前記支持ブラケットに固着したことを特徴とする請求項１または２に記載の共有空間構造体。
【請求項４】
前記閉塞部材の前記ポールに当接する当接面には、前記閉塞部材の上下方向に所定の長さを有する突部が設けられ、該突部が前記溝条に係合されることを特徴とする請求項３に記載の共有空間構造体。
【請求項５】
前記閉塞部材には、螺子を挿通させるための挿通孔が設けられ、前記閉塞部材が、前記フレームの端部近傍に螺着されるようになっており、前記閉塞部材が、少なくとも前記挿通孔を覆うカバー部材を備えていることを特徴とする請求項１ないし４のいずれかに記載の共有空間構造体。
【発明の詳細な説明】
【技術分野】
【０００１】
本発明は、共有空間構造体の外郭を画定する所定位置から立設したポールと、隣り合う前記ポールの上端にそれぞれ連結することで、ほぼ水平状態に支持されるフレームとの組み合わせからなる共有空間構造体に関する。
【背景技術】
【０００２】
従来の共有空間構造体は、オフィス等の床面に立設したポールと、そのポールの上方を連結するフレームとによって平面視方形に構成され、ポールとフレームで囲まれた共有空間内に机や椅子等を持ち込んで簡易的なミーティングスペースとして利用しているものがあり、この共有空間構造体は、各ポールの上端に取り付けられた線材取付部材に係止軸によって係止された長さを調整可能な線材を、ポールとフレームで形成される平面視方形の対角線上に配置して、この線材の張力によりポール同士を引き合わせて互いに補強することで堅固な構造とし、フレームやポールが水平方向にぐらつかないようにしている（例えば、特許文献１参照）。
【０００３】
【特許文献１】特開２００５−１３９８０６号公報（第１頁、第９図）
【発明の開示】
【発明が解決しようとする課題】
【０００４】
しかしながら、特許文献１に記載の共有空間構造体にあっては、共有空間の上方にて対角線状に配置された線材の張力によって、共有空間構造体を堅固な構造としているが、共有空間構造体の設置場所によっては天井から吊下がっている照明やシーリングファンなどが線材に接触してしまう虞があり、共有空間構造体の設置場所が制限される。また、共有空間構造体よりも背の高い観葉植物等の備品を共有空間構造体内に置く場合には、その備品の上部が線材に接触してしまう虞がある。更に、共有空間構造体よりも上方に照明が設置されている場合には、共有空間内に配置された机の上面等に線材の影を落としてしまい、机上の書類等が見難くなるという問題がある。
【０００５】
本発明は、このような問題点に着目してなされたもので、ポールとフレームによって囲まれた共有空間の上方が開放された状態を維持しつつ、フレームやポールが水平方向にぐらつかないようにできる共有空間構造体を提供することを目的とする。
【課題を解決するための手段】
【０００６】
前記課題を解決するために、本発明の請求項１に記載の共有空間構造体は、
共有空間構造体の外郭を画定する所定位置から立設したポールと、隣り合う前記ポールの上端にそれぞれ連結することで、ほぼ水平状態に支持されるフレームとの組み合わせからなる共有空間構造体であって、
平面視方形となるように少なくとも４本のポールと４本のフレームにより最小単位の共有空間構造体が構成され、前記フレームの端部近傍と前記ポールとによって形成される前記平面視方形の内角空間は、前記両フレームの端部近傍に固着し、前記ポールに当接する当接面を備えた閉塞部材により閉塞したことを特徴としている。
この特徴によれば、フレームの端部近傍に固着される閉塞部材によってフレーム同士が連結され、かつ閉塞部材の当接面がポールに当接されるため、フレームとポールとの連結状態も堅固になり、共有空間構造体のぐらつきが防止できるばかりか、この閉塞部材によって閉塞される空間は、フレームの端部近傍とポールによって形成される平面視方形の内角空間のみなので、共有空間の少なくとも中央上方が開放された状態を維持できるようになる。
【０００７】
本発明の請求項２に記載の共有空間構造体は、請求項１に記載の共有空間構造体であって、
前記閉塞部材には、前記両フレームの端部近傍に当接される当接面が設けられ、該当接面と前記ポールに当接する当接面とで形成される形状が、前記フレームの端部近傍と前記ポールとで形成される内角の形状とほぼ補形をなしていることを特徴としている。
この特徴によれば、閉塞部材におけるポール及びフレームに当接する当接面が増え、かつそれらの当接面で形成される形状が、フレームの端部近傍とポールとで形成される内角の形状とほぼ補形なので、閉塞部材によって内角の形状が保たれ、フレームとポールとで構成される平面視方形の形状が堅固に維持されるようになる。
【０００８】
本発明の請求項３に記載の共有空間構造体は、請求項１または２に記載の共有空間構造体であって、
前記フレームの端部近傍が支持ブラケットで構成されるとともに、前記ポールの外周面に、上下方向に延びる複数の溝条が形成され、該溝条に前記支持ブラケットを係合することで前記フレームを前記ポールに取り付け、前記閉塞部材を前記支持ブラケットに固着したことを特徴としている。
この特徴によれば、支持ブラケットを溝条に係合するだけで、フレームのポールに対する取付作業が簡便になるばかりか、その取付作業の簡便さを維持しつつ、閉塞部材によって支持ブラケット同士が固定されるので、両フレームの水平方向の相互の動きを規制できる。
【０００９】
本発明の請求項４に記載の共有空間構造体は、請求項３に記載の共有空間構造体であって、
前記閉塞部材の前記ポールに当接する当接面には、前記閉塞部材の上下方向に所定の長さを有する突部が設けられ、該突部が前記溝条に係合されることを特徴としている。
この特徴によれば、閉塞部材がポールに当接する際に、突部がポールの溝条に係合されることで、閉塞部材の位置決めが容易にできるようになり、かつ突部が閉塞部材の上下方向に所定の長さを有することで、突部が水平方向からの外力に耐えられるようになる。
【００１０】
本発明の請求項５に記載の共有空間構造体は、請求項１または４のいずれかに記載の共有空間構造体であって、
前記閉塞部材には、螺子を挿通させるための挿通孔が設けられ、前記閉塞部材が、前記フレームの端部近傍に螺着されるようになっており、前記閉塞部材が、少なくとも前記挿通孔を覆うカバー部材を備えていることを特徴としている。
この特徴によれば、閉塞部材をフレームの端部近傍に螺着するための螺子、及びその螺子を挿通させる挿通孔がカバー部材によって隠蔽されるため、閉塞部材の見栄えが向上される。
【発明を実施するための最良の形態】
【００１１】
本発明に係る共有空間構造体を実施するための最良の形態を実施例に基づいて以下に説明する。
【実施例】
【００１２】
本発明の実施例を図面に基づいて説明すると、先ず図１は、本発明の実施例における共有空間構造体の全体像を示す斜視図であり、図２は、ポールとフレームを示す分解斜視図であり、図３は、図２におけるポールとフレームを示すＡ−Ａ横断平面図であり、図４は、フレーム端部の支持ブラケットとポールを示す側面図であり、図５（ａ）は、連結材を示す正面図であり、図５（ｂ）は、連結材を示す背面図であり、図６（ａ）は、カバー部材を示す正面図であり、図６（ｂ）は、カバー部材を示す背面図であり、図７は、連結材がポールに当接する状態を示す平面図であり、図８は、カバー部材が連結材に嵌合する状態を示す平面図である。
【００１３】
図１の主にオフィス等の屋内空間で使用される共有空間構造体は、コミュニケーションスペース（共有空間）を他のオフィス等の空間と区別するものであり、オフィス等の床面の所定位置に立設されている。この共有空間構造体は、天井近傍までの高さを有する円柱状の４本のポール２と、隣り合うポール２間に水平に渡される４本のフレーム３から構築され、最小共有空間構造体１、１’が２つ連設されている。
【００１４】
図１に示されるように、本実施例での最小共有空間構造体１は、４本のポール２と、４本のフレームから最小空間構造体を構成し、共有空間構造体１の水平方向の四方に２本のポール２と１本のフレーム３からなる開放口４５によって、外部空間に十分に開放された関係で連接できる構造体であり、更に、この最小共有空間構造体１に２本のポール２’と、３本のフレーム３’からなる空間構造体を連接することで、最小共有空間構造体１’が最小共有空間構造体１に接続されるように構成されている。
【００１５】
つまり、本実施例の共有空間構造体は、水平方向に外部空間に開口する４つの開放口４５のうちの１つが、隣接する共有空間構造体に連接することで共有空間が拡張されている。
【００１６】
また、主に各フレーム３の端部近傍と各ポール２とから構成されている最小共有空間構造体１は、平面視正方形に形成され、２本のフレーム３の端部近傍と１本のポール２とで、正方形の内角となる内角空間３１（図７参照）が形成されている。更に詳しくは、この内角空間３１は、２本のフレーム３の端部に取り付けられたそれぞれの支持ブラケット１７と、この支持ブラケット１７間にあるポール２とで造られる空間であり、この内角空間３１は、フレーム３の端部に螺合する閉塞部材４６によって閉塞されている。
【００１７】
また、最小共有空間構造体１、１’の床面４４にはテーブル４２と椅子４３が配置されており、ここでミーティングや会議を行うことが可能であり、テーブル４２と椅子４３を退けて展示ブースとしての使用も可能となっている。
【００１８】
尚、本実施例では最小単位を構成する最小共有空間構造体１、１’を組み合わせて共有空間を拡張しているが、利用する共有空間構造体の広さによっては最小共有空間構造体１単体、若しくは３個以上複数組み合わせて使用しても良い。
【００１９】
次に本実施例で使用されている最小共有空間構造体１の具体的な構造について説明する。図２に示すように、取付材５、連結材４、カバー部材６、アジャスタ７、ポールカバー８の組み立て斜視図が示されており、連結材４とカバー部材６が一体となって閉塞部材４６が構成される。
【００２０】
ポール２の上方端面１０には、雌螺子部１２が形成されるとともに、ポール２の下方端面１１にも雌螺子部（図示略）が形成されている。ポール２の下方端面１１には、ボルト部１６が設けられた円盤状に形成されたアジャスタ７が取り付けられるようになっており、このアジャスタ７は、そのボルト部１６が雌螺子部（図示略）に螺着されることで取り付けられる。更に、このアジャスタ７はボルト部１６を締緩することでポール２の高さを微調整する。
【００２１】
また、本実施例でのポール２には、垂直方向に８本の溝条９が等間隔に形成されている。この８本の溝条９は、それぞれ外周方向に開口する形で断面視略Ｕ字型に形成されている（図３参照）。また、溝条９の開口１３の水平方向両端には、開口１３の水平方向の幅を狭める形で係止片１４が設けられている。
【００２２】
次に、取付材５は、フレーム３の垂直方向の幅と同程度の長さを有し、溝条９の形状と相補完する形状に形成されている。また、取付材５の上端には、溝条９の略Ｕ字型を拡大した係止材１５が設けられる。更に、この取付材５は、ポール２の上方端面１０から溝条９に垂直に挿通され、係止材１５が上方端面１０に当接するまで挿通される。
【００２３】
次に、ポールカバー８は、ポール２の上方端面１０が隠蔽可能な程度に大きな円盤状に形成される。また、ポールカバー８の下面の中心にはボルト部１６’が設けられており、このボルト部１６’をポール２の上方端面１０側の雌螺子部１２に螺着することで上方端面１０の隠蔽が完了する。
【００２４】
その後、取付材５の溝条９の開口１３側に設けられた螺合孔（図示略）に図３に示すようにフレーム３の端部であるブラケット接合部２０に形成された取付孔２１を通してボルト２２で締着させて取付材５とフレーム３が係止片１４を挟持することでポール２にフレーム３が取り付けられる。これにより、フレーム３をポール２の溝条９に取り付けるのに、溝条９に挿通させた取付材５を用いることで取り付けを簡便にすることができる。
【００２５】
図４に示すように、ポール２に取り付けられたフレーム３は両端部近傍が支持ブラケット１７にて構成されており、フレーム３の両端である両支持ブラケット１７間にはそれぞれ上下にアッパービーム２３とローワービーム２４がフレーム３の長手方向に渡される。両支持ブラケット１７はアッパービーム２３を渡すブラケット上部１８、ローワービーム２４を渡すブラケット下部１９、ブラケット上部１８とブラケット下部１９を上下方向に一体に接合するブラケット接合部２０から構成され、支持ブラケット１７のポール２に当接する端面２６は支持ブラケット１７の長手方向に延在するように形成されている。
【００２６】
また、ブラケット接合部２０には、連結材４を螺子２８で螺着する螺着孔２７が側面に上下に２つ設けられている他、ポール２の溝条９に挿通された取付材５に支持ブラケット１７をボルト２２で取り付けるための取付孔２１が同じく上下に２つ設けられている。
【００２７】
また、アッパービーム２３とローワービーム２４間は中空となっており、この中空部２５に中間部材４７をフレーム３の強度を向上させるためにトラス構造をなすように備え、アッパービーム２３とローワービーム２４との接点を溶接で固着させる。
【００２８】
尚、アッパービーム２３とローワービーム２４の両端面の中心にはボルトの螺合孔２９が存在し、この螺合孔２９に両支持ブラケット１７からボルト３０を螺合することで支持ブラケット１７にアッパービーム２３とローワービーム２４が取り付けられフレーム３をなす。
【００２９】
以上のように、ポール２、フレーム３、アジャスタ７、ポールカバー８の取り付けの組み立て構造を説明したが、最小共有空間構造体１、１’の全てのポール２において同様に取り付けが可能である。
【００３０】
次に、図７に示すようにポール２と両フレーム３の端部近傍により形成される内角空間３１を閉塞するように連結材４の当接面３２ａをポール２の内角外周２ａに、サイド当接面３２ｂをブラケット内角側面１７ａにそれぞれ当接し、フレーム３の端部である支持ブラケット１７のブラケット接合部２０に螺子２８によって取り付ける。これによりフレーム３の水平方向の動きを規制できる。
【００３１】
また、これにより連結材４のポール２及びフレーム３に当接する面が増え、かつそれぞれの当接面で形成される形状がフレーム３の端部近傍とポール２とで形成される内角の形状とほぼ補形なので、連結材４により内角の形状が変化しにくくなり、フレーム３とポール２とで構成される平面視正方形の形状が堅固に維持される。
【００３２】
連結材４は図５（ｂ）に示すように、ポール２に当接する当接面３２ａの中央には、ポール２に形成された溝条９の開口１３に嵌合する突部３３が設けられている。この突部３３の垂直方向の長さは、連結材４の垂直方向の長さより僅かに短い程度の長さを有しており、水平方向の長さは、ポール２の溝条９の開口１３に設けられた係止片１４の厚さと同程度に形成される。また、連結材４の表面３４は上下計４つ陥没穴３５を設け、更に各陥没穴３５内に連結材４を支持ブラケットのブラケット接合部２０に螺子２８で螺着するための挿通孔３６が設けられている。
【００３３】
また、図５（ａ）に示すように、連結材４の表面３４の４隅近傍には、後述するカバー部材６を取り付けるための４つの嵌合穴３７が設けられており、同じく表面３４には連結材４の重量を軽くするための肉抜き穴３８が複数設けられている。更に、連結材４は図７に示されるように内角空間３１と補形をなすように形成されており、この形でブラケット接合部２０に螺着されることで、外力による内角の形状の変化を防ぐことが可能となる。
【００３４】
カバー部材６は図６（ａ）に示すように、カバー表面３９は凹凸の無い平坦面として形成され、上方視で僅かに水平方向に湾曲している（図８参照）。また、図６（ｂ）に示すように、連結材４と対向するカバー裏面４０には、連結材４の表面３４の４つの嵌合穴３７に各々嵌め込まれる４つの突起４１が設けられている。
【００３５】
更に、図８に示すように、この突起４１を嵌合穴３７に嵌め込むだけで容易にカバー部材６を連結材４に取り付けることができる。また、カバー部材６を取り付けたことにより、連結材４の表面３４の肉抜き穴３８及び陥没穴３５を隠蔽することができるので、容易に連結材４の見栄えを向上させる。
【００３６】
以上、本実施例における最小共有空間構造体１では、２本のフレーム３の両支持ブラケット１７と１本のポール２とによって形成される内角空間３１を、ポール２に当接する当接面３２ａが設けられた閉塞部材４６によって閉塞し、閉塞部材４６が当接面３２ａによりポール２に当接されるとともに、閉塞部材４６が両フレーム２の支持ブラケット１７に固着されることで、フレーム３とポール２との連結状態が堅固になり、共有空間構造体１のぐらつきが防止できるばかりか、この閉塞部材４６によって閉塞される空間は、フレーム３の支持ブラケット１７とポール２によって形成される平面視正方形の４つの内角空間３１のみなので、共有空間の少なくとも中央上方が開放された状態を維持できるようになる。
【００３７】
また、閉塞部材４６には、両フレーム２の支持ブラケット１７に当接される当接面３２ｂが設けられていることで、閉塞部材４６におけるポール２及びフレーム３に当接する当接面３２ａ、３２ｂが増えるようになっている。また、閉塞部材４６は、支持ブラケット１７に当接する当接面３２ｂとポール２に当接する当接面３２ａとで形成される形状が、フレーム３の支持ブラケット１７とポール２とで形成される内角の形状とほぼ補形をなしていることで、閉塞部材４６によって内角の形状が変化しなくなり、フレーム３とポール２とで構成される平面視正方形の形状が堅固に維持されるようになる。
【００３８】
また、ポール２の外周面には、上下方向に延びる複数の溝条９が形成され、この溝条９に支持ブラケット１７を取付材５を介して係合することで、フレーム３のポール２に対する取付作業が容易に行え、閉塞部材４６によって支持ブラケット１７同士が固定されるので、フレーム３の水平方向の動きを規制できる。
【００３９】
また、閉塞部材４６のポール２に当接する当接面３２ａ側には、閉塞部材４６の上下方向に所定の長さを有する突部３３が設けられ、閉塞部材４６がポール２に当接する際に、この突部３３が溝条９に係合されることで、閉塞部材４６の位置決めが容易にできるようになり、かつ突部３３が閉塞部材４６の上下方向に所定の長さを有することで、突部３３が水平方向からの外力に耐えられるようになる。
【００４０】
また、閉塞部材４６には、螺子２８を挿通させるための挿通孔３６が設けられ、閉塞部材４６が、フレーム３の支持ブラケット１７に螺着されるようになっており、閉塞部材４６が、少なくとも挿通孔３６を覆うカバー部材６を備えていることで、閉塞部材４６をフレーム３の支持ブラケット１７に螺着するための螺子２８、及びその螺子２８を挿通させる挿通孔３６がカバー部材６によって隠蔽されるため、閉塞部材４６の見栄えが向上される。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、前記実施例では、ポール２は円柱状であり、連結材４の当接面３２ａをポール２の内角外周２ａに当接するように湾曲させて形成したが、本発明はこれに限定されるものではなく、例えばポールが四角柱であれば連結材の当接面を四角柱の角部の形状に補形をなすように形成してもよい。
【図面の簡単な説明】
【００４３】
【図１】本発明の実施例における共有空間構造体の全体像を示す斜視図である。
【図２】ポールとフレームを示す分解斜視図である。
【図３】図２におけるポールとフレームを示すＡ−Ａ横断平面図である。
【図４】フレーム端部の支持ブラケットとポールを示す側面図である。
【図５】（ａ）は、連結材を示す正面図であり、（ｂ）は、連結材を示す背面図である。
【図６】（ａ）は、カバー部材を示す正面図であり、（ｂ）は、カバー部材を示す背面図である。
【図７】連結材がポールに当接する状態を示す平面図である。
【図８】カバー部材が閉塞部材に嵌合する状態を示す平面図である。
【符号の説明】
【００４４】
１、１’          最小共有空間構造体
２、２’          ポール
２ａ              内角外周
３、３’          フレーム
４                連結材
５                取付材
６                カバー部材
９                溝条
１３              開口
１５              係止材
１７              支持ブラケット
１７ａ            ブラケット内角側面
２１              取付孔
２８              螺子
３１              内角空間
３２ａ            当接面
３２ｂ            サイド当接面
３３              突部
３４              表面
３５              陥没穴
３６              挿通孔
３７              嵌合穴
３８              肉抜き穴
３９              カバー表面
４０              カバー裏面
４１              嵌め込み突起
４５              開放口
４６              閉塞部材
【図１】
2008111234.tif 000003
【図２】
2008111234.tif 000004
【図３】
2008111234.tif 000005
【図４】
2008111234.tif 000006
【図５】
2008111234.tif 000007
【図６】
2008111234.tif 000008
【図７】
2008111234.tif 000009
【図８】
2008111234.tif 000010